(57)【要約】【課題】ＴＣＰをベースに動画像コンテンツを伝送するために新しいＴＣＰベースのＲＰＳＰを定義し、より安全で信頼性ある動画像データパケットを伝送する、疑似ストリーミング技術を利用した移動通信端末機の動画像伝送方法を提供する。【解決手段】疑似ストリーミング技術を利用した移動通信端末機の動画像伝送方法は、サーバーと移動通信端末機間の動画像ストリーミング伝送において、ＴＣＰベースの疑似ストリーミング技術を利用して、移動通信端末機が、サーバーから動画像データをダウンロードして再生する。【選択図】図２
2006246468.tif 000002
【特許請求の範囲】
【請求項１】
サーバーと移動通信端末機間の動画像ストリーミング伝送において、
ＴＣＰベースの疑似ストリーミング技術を利用して、移動通信端末機が、サーバーから動画像データをダウンロードして再生することを特徴とする疑似ストリーミング技術を利用した移動通信端末機の動画像伝送方法。
【請求項２】
前記ＴＣＰベースの疑似ストリーミング技術が、ＲＰＳＰを適用して実現されることを特徴とする請求項１に記載の疑似ストリーミング技術を利用した移動通信端末機の動画像伝送方法。
【請求項３】
サーバーと移動通信端末機間の動画像ストリーミング伝送において、
疑似ストリーミング技術を利用したプロトコルにより、サーバーと移動通信端末機間の動画像データサービスを提供するために、ＲＴＳＰに少なくとも１つのフィールドが追加されることを特徴とする疑似ストリーミング技術を利用した移動通信端末機の動画像伝送方法。
【請求項４】
前記プロトコルが、ＴＣＰをベースとすることを特徴とする請求項３に記載の疑似ストリーミング技術を利用した移動通信端末機の動画像伝送方法。
【請求項５】
前記プロトコルが、リアルタイム疑似ストリーミングを実現できるプロトコルであり、ＲＰＳＰとして定義されることを特徴とする請求項４に記載の疑似ストリーミング技術を利用した移動通信端末機の動画像伝送方法。
【請求項６】
前記フィールドには、移動通信端末機がサーバーに疑似ストリーミングによるコンテンツの伝送要求を示すフィールドが含まれることを特徴とする請求項３に記載の疑似ストリーミング技術を利用した移動通信端末機の動画像伝送方法。
【請求項７】
前記フィールドには、移動通信端末機に収容可能な１つのパケットのサイズを示すフィールドが含まれることを特徴とする請求項３に記載の疑似ストリーミング技術を利用した移動通信端末機の動画像伝送方法。
【請求項８】
サーバーと移動通信端末機間の動画像ストリーミング伝送において、
疑似ストリーミングを実現するＲＰＳＰのビットストリームは、少なくとも１つのフィールドを含むことを特徴とする疑似ストリーミング技術を利用した移動通信端末機の動画像伝送方法。
【請求項９】
前記ビットストリームが、
疑似ストリーミング開始コードフィールドと、
現在受け取っているＲＰＳＰパケットの状態を示すフィールドと、
パケットサイズを示すフィールドと、
データパケットの一連番号を示すフィールドと、
実際にデータが格納されるデータフィールドと、
を含むことを特徴とする請求項８に記載の疑似ストリーミング技術を利用した移動通信端末機の動画像伝送方法。
【請求項１０】
前記疑似ストリーミング開始コードフィールドが、２バイトで構成されることを特徴とする請求項９に記載の疑似ストリーミング技術を利用した移動通信端末機の動画像伝送方法。
【請求項１１】
前記現在受け取っているＲＰＳＰパケットの状態を示すフィールドが、１バイトで構成されることを特徴とする請求項９に記載の疑似ストリーミング技術を利用した移動通信端末機の動画像伝送方法。
【請求項１２】
前記パケットサイズを示すフィールドが、２バイトで構成されることを特徴とする請求項９に記載の疑似ストリーミング技術を利用した移動通信端末機の動画像伝送方法。
【請求項１３】
前記データパケットの一連番号を示すフィールドが、４バイトで構成されることを特徴とする請求項９に記載の疑似ストリーミング技術を利用した移動通信端末機の動画像伝送方法。
【請求項１４】
前記ＲＰＳＰパケットの状態が、アラビア数字で各状態を示すことを特徴とする請求項９に記載の疑似ストリーミング技術を利用した移動通信端末機の動画像伝送方法。
【請求項１５】
前記ＲＰＳＰパケットの状態が、サーバーと移動通信端末機間で現在やり取りしているＲＰＳＰパケットの状態として、サーバーが移動通信端末機に最初のデータパケットを伝送する状態と、サーバーが移動通信端末機にデータパケットを伝送する状態と、サーバーが移動通信端末機に最後のデータパケットを伝送する状態と、移動通信端末機がサーバーに受信完了を通知する状態とを含むことを特徴とする請求項９に記載の疑似ストリーミング技術を利用した移動通信端末機の動画像伝送方法。
【請求項１６】
サーバーと移動通信端末機間の動画像ストリーミング伝送において、
ユーザにより移動通信端末機でＶＯＤプレイヤーが駆動して、移動通信端末機とサーバー間にＴＣＰセッションが接続される過程と、
前記移動通信端末機が、前記サーバーにディスクライブ（ｄｅｓｃｒｉｂｅ）要求をすると、前記サーバーが、コンテンツを検索してサービスを用意する過程と、
前記サーバーが、前記移動通信端末機にディスクライブ応答をし、前記移動通信端末機が、前記ＶＯＤプレイヤーの初期値のセット及び疑似ストリーミングサービスの開始を用意する過程と、
前記移動通信端末機が、前記サーバーに特定コンテンツの再生を要求すると、前記サーバーが、前記移動通信端末機に再生要求された前記コンテンツをＲＰＳＰパケットデータで伝送する過程と、
前記移動通信端末機が、前記サーバーにテアダウン（ＴｅａｒＤｏｗｎ）要求をすると、前記サーバーが応答して、前記ＲＰＳＰパケットデータの伝送を終了する過程と、
前記移動通信端末機が前記ＶＯＤプレイヤーを終了し、前記移動通信端末機とサーバー間のＴＣＰセッションが終了する過程と、
を含むことを特徴とする疑似ストリーミング技術を利用した移動通信端末機の動画像伝送方法。
【請求項１７】
前記ＲＰＳＰが、ＴＣＰベースの疑似ストリーミング技術を利用して動画像データパケットを伝送するプロトコルであることを特徴とする請求項１６に記載の疑似ストリーミング技術を利用した移動通信端末機の動画像伝送方法。
【請求項１８】
前記ＲＰＳＰパケットデータが、疑似ストリーミング開始コードフィールドと、現在受け取っているＲＰＳＰパケットの状態を示すフィールドと、パケットサイズを示すフィールドと、データパケットの一連番号を示すフィールドと、実際にデータが格納されるデータフィールドとを含むビットストリームからなることを特徴とする請求項１６に記載の疑似ストリーミング技術を利用した移動通信端末機の動画像伝送方法。
【請求項１９】
前記ＲＰＳＰパケットの状態が、サーバーと移動通信端末機間で現在やり取りしているＲＰＳＰパケットの状態として、サーバーが移動通信端末機に最初のデータパケットを伝送する状態と、サーバーが移動通信端末機にデータパケットを伝送する状態と、サーバーが移動通信端末機に最後のデータパケットを伝送する状態と、移動通信端末機がサーバーに受信完了を通知する状態とを含むことを特徴とする請求項１６に記載の疑似ストリーミング技術を利用した移動通信端末機の動画像伝送方法。
【請求項２０】
前記移動通信端末機が前記サーバーにディスクライブ要求をする過程で、
疑似ストリーミング技術を利用したＲＰＳＰにより、サーバーと移動通信端末機間の動画像データサービスを提供するために、ＲＴＳＰに少なくとも１つのフィールドが追加されることを特徴とする請求項１６に記載の疑似ストリーミング技術を利用した移動通信端末機の動画像伝送方法。
【請求項２１】
前記フィールドには、移動通信端末機がサーバーに疑似ストリーミングによるコンテンツの伝送要求を示すフィールドが含まれることを特徴とする請求項３に記載の疑似ストリーミング技術を利用した移動通信端末機の動画像伝送方法。
【請求項２２】
前記フィールドには、移動通信端末機に収容可能な１つのパケットのサイズを示すフィールドが含まれることを特徴とする請求項２０に記載の疑似ストリーミング技術を利用した移動通信端末機の動画像伝送方法。
【発明の詳細な説明】
【技術分野】
【０００１】
本発明は、移動通信端末機の動画像伝送に関し、特に、疑似ストリーミング技術を利用した移動通信端末機の動画像伝送方法に関する。
【背景技術】
【０００２】
近年、移動通信端末機を用いる移動通信システムは、音声信号又は文字信号だけでなく、ビデオ・オン・デマンド（Ｖｉｄｅｏ  Ｏｎ  Ｄｅｍａｎｄ：ＶＯＤ）のような動画像を含むマルチメディアサービスを提供している。特に、動画像サービスは、ストリーミング技術の導入によって飛躍的に発展しつつある。
【０００３】
ストリーミングサービスとは、伝送されたマルチメディアデータを、ユーザ端末機の記憶装置に保存することなく、動画像を再生した後に除去するマルチメディアサービスをいう。このようなサービスは、有線上でも広く利用されているが、保存領域が不足しがちな無線移動通信端末機でさらに脚光をあびている。
【０００４】
このような動画像ストリーミングを実現するための技術は、大きく画像圧縮アルゴリズムと、音声圧縮アルゴリズムと、有無線ネットワークプロトコルとに分けられる。
【０００５】
前記画像圧縮アルゴリズムとは、画像圧縮技術を利用して現在有無線上で用いられている動画像フォーマットであって、ＩＳＯ（Ｉｎｔｅｒｎａｔｉｏｎａｌ  Ｏｒｇａｎｉｚａｔｉｏｎ  ｆｏｒ  Ｓｔａｎｄａｒｄｉｚａｔｉｏｎ）／ＩＥＣ（Ｉｎｔｅｒｎａｔｉｏｎａｌ  Ｅｌｅｃｔｒｏｔｅｃｈｎｉｃａｌ  Ｃｏｍｍｉｓｓｉｏｎ）が定めたＭＰＥＧ（Ｍｏｖｉｎｇ  Ｐｉｃｔｕｒｅ  Ｅｘｐｅｒｔｓ  Ｇｒｏｕｐ）１、ＭＰＥＧ２、ＭＰＥＧ４のようなＭＰＥＧ系のフォーマットと、ＩＴＵ−Ｔ（Ｉｎｔｅｒｎａｔｉｏｎａｌ  Ｔｅｌｅｃｏｍｍｕｎｉｃａｔｉｏｎ  Ｕｎｉｏｎ−Ｔｅｌｅｃｏｍｍｕｎｉｃａｔｉｏｎ  ｓｅｃｔｏｒ）が定めたＨ．２６１、Ｈ．２６３、Ｈ．２６４のようなＨ．２６ｘ系のフォーマットとがある。特に、移動通信端末機のような無線環境では、ＭＰＥＧ４又はＨ．２６３が国際標準として定着しており、第３世代移動体通信システムの標準化団体である３ＧＰＰ（３ｒｄ  Ｇｅｎｅｒａｔｉｏｎ  Ｐａｒｔｎｅｒｓｈｉｐ  Ｐｒｏｊｅｃｔ）と３ＧＰＰ２において、ＶＯＤとしてはＭＰＥＧ４フォーマットが、画像通話（Ｖｉｄｅｏ  Ｔｅｌｅｐｈｏｎｙ：ＶＴ）としてはＨ．２６３がそれぞれ標準として採択されている。また、圧縮技術と画質改善技術の発達によって、Ｈ．２６４の需要がＭＰＥＧ４とＨ．２６３の需要に迫ってきている。
【０００６】
前記音声圧縮アルゴリズムとしては、ＭＩＤＩ（Ｍｕｓｉｃａｌ  Ｉｎｓｔｒｕｍｅｎｔ  Ｄｉｇｉｔａｌ  Ｉｎｔｅｒｆａｃｅ）、ＭＰ３（Ｍｏｖｉｎｇ  Ｐｉｃｔｕｒｅ  Ｅｘｐｅｒｔｓ  Ｇｒｏｕｐ  ３）、ＡＡＣ（Ａｄｖａｎｃｅｄ  Ａｕｄｉｏ  Ｃｏｄｅ）のような有無線音声圧縮アルゴリズム、無線環境に適したＱＣＥＬＰ（Ｑｕａｌｃｏｍｍ  Ｃｏｄｅ  Ｅｘｉｃｉｄｅｄ  Ｌｉｎｅａｒ  Ｐｒｅｄｉｃｔｉｏｎ）、ＥＶＲＣ（Ｅｎｈａｎｃｅｄ  Ｖａｒｉａｂｌｅ  Ｒａｔｅ  Ｃｏｄｅｒ）、ＡＭＲ（Ａｄａｐｔｉｖｅ  Ｍｕｌｔｉ  Ｒａｔｅ  ＣＯＤＥＣ）などが主に用いられており、圧縮技術及び音質改善技術の発達によってＡＡＣ  Ｐｌｕｓの需要が次第に高まっている。
【０００７】
前記有無線ネットワークプロトコルとしては、伝送速度は遅いが伝送信頼性の高い伝送制御プロトコル（Ｔｒａｎｓｍｉｓｓｉｏｎ  Ｃｏｎｔｒｏｌ  Ｐｒｏｔｏｃｏｌ：ＴＣＰ）と、伝送速度は早いが伝送信頼性の低いユーザデータプロトコル（Ｕｓｅｒ  Ｄａｔａｇｒａｍ  Ｐｒｏｔｏｃｏｌ：ＵＤＰ）とがある。ＵＤＰの場合、小さなパケット損失を補完するために、ＲＴＰ（Ｒｅａｌ  Ｔｉｍｅ  Ｐｒｏｔｏｃｏｌ）及びＲＴＣＰ（Ｒｅａｌ  Ｔｉｍｅ  Ｃｏｎｔｒｏｌ  Ｐｒｏｔｏｃｏｌ）を組み合わせて用いることが多い。また、このようなリアルタイムサービスに対応するために、セッション時に用いるプロトコルとして、ＲＴＳＰ（Ｒｅａｌ  Ｔｉｍｅ  Ｓｔｒｅａｍｉｎｇ  Ｐｒｏｔｏｃｏｌ）及びＳＤＰ（Ｓｅｓｓｉｏｎ  Ｄｅｓｃｒｉｐｔｉｏｎ  Ｐｒｏｔｏｃｏｌ）も多く用いられている。
【０００８】
図４は、従来の移動通信端末機のＶＯＤサービス方式を示す図である。従来の移動通信端末機のＶＯＤサービスは、ＭＰＥＧ４とＡＡＣをコーデックに採用し、ＲＴＰをベースとするストリーミングサービスが基本的なタイプであった。
【０００９】
図４に示すように、まず、ユーザがＴＣＰをベースにＲＴＳＰディスクライブメソッド（ｄｅｓｃｒｉｂｅ  ｍｅｔｈｏｄ）でコンテンツの伝送を要求すると、サーバーは、自分のコンテンツサーバーから適切なコンテンツを検索して、ユーザから要求されたコンテンツに関する基本的な情報をユーザに伝送する。前記コンテンツ情報には、画面サイズ、フレーム速度、コーデックの種類、現在時間などが含まれる。次に、移動通信端末機は、前記サーバーから伝送されたコンテンツ情報を取得した後、セットアップメソッドを前記サーバーに伝送し、ストリーミング再生を開始する。この時点から前記サーバーと移動通信端末機間のＴＣＰポートが閉じ、ＵＤＰベースのＲＴＰ又はＲＴＣＰ方式で動画像データのパケットが前記移動通信端末機に伝送されると、前記移動通信端末機は、画面にディスプレイした後、伝送されたデータを削除する。
【発明の開示】
【発明が解決しようとする課題】
【００１０】
このように、ＵＤＰをベースとしてストリーミングサービスを提供する従来技術は、伝送速度が速いという利点はあるが、データの信頼性を保証できず、ストリーミングサービスの途中にパケット損失が発生するという問題点がある。
【００１１】
また、従来のＵＤＰベースのストリーミングサービスにおいては、移動通信端末機がサーバーから伝送されたコンテンツを再生した後に直ちに削除するため、コンテンツを再度見るためには、サーバーに再接続しなければならない。従って、ユーザはパケット料金の追加を負担しなければならないという問題点がある。
【００１２】
本発明は、このような従来技術の問題点を解決するためになされたもので、安定したストリーミングネットワーク環境下で、ＴＣＰ方式で移動通信端末機に動画像を提供することを目的とする。
【００１３】
本発明の他の目的は、ストリーミング再生とダウンロードが可能な疑似ストリーミング方式を利用して移動通信端末機に動画像を提供することにある。
【課題を解決するための手段】
【００１４】
上記の目的を達成するために、本発明による疑似ストリーミングを利用した移動通信端末機の動画像伝送方法は、サーバーと移動通信端末機間の動画像ストリーミング伝送において、疑似ストリーミング技術を利用したプロトコルにより、サーバーと移動通信端末機間に動画像データサービスを提供するために、ＲＴＳＰに少なくとも１つのフィールドが追加されることを特徴とする。
【００１５】
好ましくは、前記プロトコルが、ＴＣＰをベースとすることを特徴とする。
【００１６】
好ましくは、前記プロトコルが、リアルタイム疑似ストリーミングを実現できるプロトコルであり、ＲＰＳＰ（Ｒｅａｌ−ｔｉｍｅ  Ｐｓｅｕｄｏ  Ｓｔｒｅａｍｉｎｇ  Ｐｒｏｔｏｃｏｌ）として定義されることを特徴とする。
【００１７】
好ましくは、前記フィールドには、移動通信端末機がサーバーに疑似ストリーミングによるコンテンツの伝送要求を示すフィールド、及び移動通信端末機に収容可能な１つのパケットのサイズを示すフィールドが含まれることを特徴とする。
【００１８】
また、上記の目的を達成するために、本発明による疑似ストリーミングを利用した移動通信端末機の動画像伝送方法は、サーバーと移動通信端末機間の動画像ストリーミング伝送において、ＲＰＳＰのビットストリームにより疑似ストリーミングを実現することを特徴とする。
【００１９】
好ましくは、前記ビットストリームが、疑似ストリーミング開始コードフィールドと、現在受け取っているＲＰＳＰパケットの状態を示すフィールドと、パケットサイズを示すフィールドと、データパケットの一連番号を示すフィールドと、実際にデータが格納されるデータフィールドとを含むことを特徴とする。
【００２０】
そして、上記の目的を達成するために、本発明による疑似ストリーミング技術を利用した移動通信端末機の動画像伝送方法は、サーバーと移動通信端末機間の動画像ストリーミング伝送において、ＴＣＰベースの疑似ストリーミング技術を利用して、移動通信端末機が、サーバーから動画像データをダウンロードして再生することを特徴とする。
【００２１】
また、上記の目的を達成するために、本発明による疑似ストリーミングを利用した移動通信端末機の動画像伝送方法は、サーバーと移動通信端末機間の動画像ストリーミング伝送において、ユーザにより移動通信端末機でＶＯＤプレイヤーが駆動して、移動通信端末機とサーバー間にＴＣＰセッションが接続される過程と、前記移動通信端末機が、前記サーバーにディスクライブ（ｄｅｓｃｒｉｂｅ）要求をすると、前記サーバーが、コンテンツを検索してサービスを用意する過程と、前記サーバーが、前記移動通信端末機にディスクライブ応答をし、前記移動通信端末機が、前記ＶＯＤプレイヤーの初期値のセット及び疑似ストリーミングサービスの開始を用意する過程と、前記移動通信端末機が、前記サーバーに特定コンテンツの再生を要求すると、前記サーバーが、前記移動通信端末機に再生要求された前記コンテンツをＲＰＳＰパケットデータで伝送する過程と、前記移動通信端末機が、前記サーバーにテアダウン（ＴｅａｒＤｏｗｎ）要求をすると、前記サーバーが応答して、前記ＲＰＳＰパケットデータの伝送を終了する過程と、前記移動通信端末機が前記ＶＯＤプレイヤーを終了し、前記移動通信端末機とサーバー間のＴＣＰセッションが終了する過程とを含むことを特徴とする。
【００２２】
上記目的を達成するために、本発明は、例えば、以下の手段を提供する：
（項目１）
サーバーと移動通信端末機間の動画像ストリーミング伝送において、
ＴＣＰベースの疑似ストリーミング技術を利用して、移動通信端末機が、サーバーから動画像データをダウンロードして再生することを特徴とする疑似ストリーミング技術を利用した移動通信端末機の動画像伝送方法。
（項目２）
前記ＴＣＰベースの疑似ストリーミング技術が、ＲＰＳＰを適用して実現されることを特徴とする項目１に記載の疑似ストリーミング技術を利用した移動通信端末機の動画像伝送方法。
（項目３）
サーバーと移動通信端末機間の動画像ストリーミング伝送において、
疑似ストリーミング技術を利用したプロトコルにより、サーバーと移動通信端末機間の動画像データサービスを提供するために、ＲＴＳＰに少なくとも１つのフィールドが追加されることを特徴とする疑似ストリーミング技術を利用した移動通信端末機の動画像伝送方法。
（項目４）
前記プロトコルが、ＴＣＰをベースとすることを特徴とする項目３に記載の疑似ストリーミング技術を利用した移動通信端末機の動画像伝送方法。
（項目５）
前記プロトコルが、リアルタイム疑似ストリーミングを実現できるプロトコルであり、ＲＰＳＰとして定義されることを特徴とする項目４に記載の疑似ストリーミング技術を利用した移動通信端末機の動画像伝送方法。
（項目６）
前記フィールドには、移動通信端末機がサーバーに疑似ストリーミングによるコンテンツの伝送要求を示すフィールドが含まれることを特徴とする項目３に記載の疑似ストリーミング技術を利用した移動通信端末機の動画像伝送方法。
（項目７）
前記フィールドには、移動通信端末機に収容可能な１つのパケットのサイズを示すフィールドが含まれることを特徴とする項目３に記載の疑似ストリーミング技術を利用した移動通信端末機の動画像伝送方法。
（項目８）
サーバーと移動通信端末機間の動画像ストリーミング伝送において、
疑似ストリーミングを実現するＲＰＳＰのビットストリームは、少なくとも１つのフィールドを含むことを特徴とする疑似ストリーミング技術を利用した移動通信端末機の動画像伝送方法。
（項目９）
前記ビットストリームが、
疑似ストリーミング開始コードフィールドと、
現在受け取っているＲＰＳＰパケットの状態を示すフィールドと、
パケットサイズを示すフィールドと、
データパケットの一連番号を示すフィールドと、
実際にデータが格納されるデータフィールドと、
を含むことを特徴とする項目８に記載の疑似ストリーミング技術を利用した移動通信端末機の動画像伝送方法。
（項目１０）
前記疑似ストリーミング開始コードフィールドが、２バイトで構成されることを特徴とする項目９に記載の疑似ストリーミング技術を利用した移動通信端末機の動画像伝送方法。
（項目１１）
前記現在受け取っているＲＰＳＰパケットの状態を示すフィールドが、１バイトで構成されることを特徴とする項目９に記載の疑似ストリーミング技術を利用した移動通信端末機の動画像伝送方法。
（項目１２）
前記パケットサイズを示すフィールドが、２バイトで構成されることを特徴とする項目９に記載の疑似ストリーミング技術を利用した移動通信端末機の動画像伝送方法。
（項目１３）
前記データパケットの一連番号を示すフィールドが、４バイトで構成されることを特徴とする項目９に記載の疑似ストリーミング技術を利用した移動通信端末機の動画像伝送方法。
（項目１４）
前記ＲＰＳＰパケットの状態が、アラビア数字で各状態を示すことを特徴とする項目９に記載の疑似ストリーミング技術を利用した移動通信端末機の動画像伝送方法。
（項目１５）
前記ＲＰＳＰパケットの状態が、サーバーと移動通信端末機間で現在やり取りしているＲＰＳＰパケットの状態として、サーバーが移動通信端末機に最初のデータパケットを伝送する状態と、サーバーが移動通信端末機にデータパケットを伝送する状態と、サーバーが移動通信端末機に最後のデータパケットを伝送する状態と、移動通信端末機がサーバーに受信完了を通知する状態とを含むことを特徴とする項目９に記載の疑似ストリーミング技術を利用した移動通信端末機の動画像伝送方法。
（項目１６）
サーバーと移動通信端末機間の動画像ストリーミング伝送において、
ユーザにより移動通信端末機でＶＯＤプレイヤーが駆動して、移動通信端末機とサーバー間にＴＣＰセッションが接続される過程と、
前記移動通信端末機が、前記サーバーにディスクライブ（ｄｅｓｃｒｉｂｅ）要求をすると、前記サーバーが、コンテンツを検索してサービスを用意する過程と、
前記サーバーが、前記移動通信端末機にディスクライブ応答をし、前記移動通信端末機が、前記ＶＯＤプレイヤーの初期値のセット及び疑似ストリーミングサービスの開始を用意する過程と、
前記移動通信端末機が、前記サーバーに特定コンテンツの再生を要求すると、前記サーバーが、前記移動通信端末機に再生要求された前記コンテンツをＲＰＳＰパケットデータで伝送する過程と、
前記移動通信端末機が、前記サーバーにテアダウン（ＴｅａｒＤｏｗｎ）要求をすると、前記サーバーが応答して、前記ＲＰＳＰパケットデータの伝送を終了する過程と、
前記移動通信端末機が前記ＶＯＤプレイヤーを終了し、前記移動通信端末機とサーバー間のＴＣＰセッションが終了する過程と、
を含むことを特徴とする疑似ストリーミング技術を利用した移動通信端末機の動画像伝送方法。
（項目１７）
前記ＲＰＳＰが、ＴＣＰベースの疑似ストリーミング技術を利用して動画像データパケットを伝送するプロトコルであることを特徴とする項目１６に記載の疑似ストリーミング技術を利用した移動通信端末機の動画像伝送方法。
（項目１８）
前記ＲＰＳＰパケットデータが、疑似ストリーミング開始コードフィールドと、現在受け取っているＲＰＳＰパケットの状態を示すフィールドと、パケットサイズを示すフィールドと、データパケットの一連番号を示すフィールドと、実際にデータが格納されるデータフィールドとを含むビットストリームからなることを特徴とする項目１６に記載の疑似ストリーミング技術を利用した移動通信端末機の動画像伝送方法。
（項目１９）
前記ＲＰＳＰパケットの状態が、サーバーと移動通信端末機間で現在やり取りしているＲＰＳＰパケットの状態として、サーバーが移動通信端末機に最初のデータパケットを伝送する状態と、サーバーが移動通信端末機にデータパケットを伝送する状態と、サーバーが移動通信端末機に最後のデータパケットを伝送する状態と、移動通信端末機がサーバーに受信完了を通知する状態とを含むことを特徴とする項目１６に記載の疑似ストリーミング技術を利用した移動通信端末機の動画像伝送方法。
（項目２０）
前記移動通信端末機が前記サーバーにディスクライブ要求をする過程で、
疑似ストリーミング技術を利用したＲＰＳＰにより、サーバーと移動通信端末機間の動画像データサービスを提供するために、ＲＴＳＰに少なくとも１つのフィールドが追加されることを特徴とする項目１６に記載の疑似ストリーミング技術を利用した移動通信端末機の動画像伝送方法。
（項目２１）
前記フィールドには、移動通信端末機がサーバーに疑似ストリーミングによるコンテンツの伝送要求を示すフィールドが含まれることを特徴とする項目３に記載の疑似ストリーミング技術を利用した移動通信端末機の動画像伝送方法。
（項目２２）
前記フィールドには、移動通信端末機に収容可能な１つのパケットのサイズを示すフィールドが含まれることを特徴とする項目２０に記載の疑似ストリーミング技術を利用した移動通信端末機の動画像伝送方法。
【発明の効果】
【００２３】
本発明は、ＴＣＰベースの疑似ストリーミング技術を利用して動画像データを伝送するため、従来のＵＤＰベースの動画像ストリーミングサービスのためにＴＣＰからＵＤＰに切り替える必要がない。従って、従来技術のように基本的に２つのＩＰ（Ｉｎｔｅｒｎｅｔ  Ｐｒｏｔｏｃｏｌ）と２つのポートを備える必要がなく、１つのＩＰと１つのポートのみで動画像ストリーミングサービスを提供することができる。
【００２４】
また、ＴＣＰベースのストリーミングサービスを提供するので、従来のＵＤＰ方式より信頼性あるデータ伝送が可能であり、従来技術においてＴＣＰ／ＵＤＰの切替時に発生し得る、ネットワークが切断される不具合及びパケット損失の発生を防止して、より向上した画質と音質をユーザに提供することができる。
【００２５】
その他、本発明による移動通信端末機は、拡張されたＲＡＭ及びハードディスクを備えることにより、ＶＯＤ動画像データをダウンロードしつつストリーミングを再生するので、再び再生する際にもパケット料金の追加を負担する必要がない。
【００２６】
このように、本発明によるＴＣＰベースの疑似ストリーミング技術を利用した移動通信端末機の動画像伝送方法は、ダウンロードの安定性とストリーミングサービスの再生の迅速性という利点を併せ持つ効果がある。
【発明を実施するための最良の形態】
【００２７】
本発明は、動画像ストリーミングサービスを提供する通信システム、及び動画像ストリーミングサービスを受ける移動通信端末機で実現される。しかしながら、本発明は、他の標準に従って動作する通信システム及び端末機にも適用することができる。
【００２８】
本発明による移動通信端末機は、より拡張されたＲＡＭ領域又は移動通信端末機用のハードディスクの発達につれて、サーバーから伝送されたコンテンツを保存できる保存領域を備えるようになったことを前提とする。
【００２９】
本発明の趣旨は、ＴＣＰをベースに動画像コンテンツを伝送するために、新しいＴＣＰベースのリアルタイム疑似ストリーミングプロトコル（Ｒｅａｌ−ｔｉｍｅ  Ｐｓｅｕｄｏ  Ｓｔｒｅａｍｉｎｇ  Ｐｒｏｔｏｃｏｌ：ＲＰＳＰ）を定義し、疑似ストリーミング技術を利用して、より安全で信頼性ある動画像データパケットを伝送する方法を提案することにある。
【００３０】
本発明の趣旨はより詳細には、ＴＣＰをベースに動画像コンテンツを伝送するために新しいＴＣＰベースのＲＰＳＰを定義し、より安全で信頼性ある動画像データパケットを伝送する、疑似ストリーミング技術を利用した移動通信端末機の動画像伝送方法を提供することにある。
【００３１】
このような趣旨の本発明は、ＥＶＤＯ（Ｅｖｏｌｕｔｉｏｎ  Ｄａｔａ  Ｏｎｌｙ）又はＷＣＤＭＡ（Ｗｉｄｅｂａｎｄ  Ｃｏｄｅ−Ｄｉｖｉｓｉｏｎ  Ｍｕｌｔｉｐｌｅ  Ａｃｃｅｓｓ）などの高速移動体通信ネットワークの速度と移動通信端末機の保存領域がある程度保障される通信環境下で、従来のＵＤＰベースのストリーミングサービスよりも、ＴＣＰベースの疑似ストリーミングサービスがより高い水準のサービスをユーザに提供できることに着目したものである。
【００３２】
従って、ＴＣＰベースの疑似ストリーミングサービスを実現するために、従来のＵＤＰベースのＲＴＰと差別化されるＲＰＳＰを定義する。即ち、前記ＴＣＰベースのＲＰＳＰにより動画像サービスが行われるように、移動通信端末機とサーバー間の接続環境を用意する際に必要なＴＣＰベースのプロトコルであるＲＴＳＰに新しいフィールドを追加しなければならない。下記表１は、新しいフィールドが追加されたＲＴＳＰ（従来のＲＴＳＰに２つの新しいフィールドが追加されたＲＴＳＰ）の詳細なフィールド内容を示す。下記表１に楕円で表示されたフィールドのうち、Ｘ−Ｐｓｅｕｄｏ−Ｓｔｒｅａｍｉｎｇフィールドは、移動通信端末機がサーバーに疑似ストリーミングによるコンテンツの伝送要求を示すフィールドであり、Ｘ−ＲＰＳＰ−Ｌｅｎｇｔｈフィールドは、移動通信端末機に収容可能な１つのパケットのサイズを示すフィールドである。前記Ｘ−ＲＰＳＰ−Ｌｅｎｇｔｈフィールドは、ＴＣＰの特性上、ネットワークから一定のサイズでパケットが分割されて伝送されるために必要なものである。
【００３３】
【表１】
2006246468.tif 000003
図３は、本発明によるＴＣＰベースのＲＰＳＰを定義したビットストリームの構成図である。
【００３４】
図３に示すように、ＲＰＳＰビットストリームは、ＰＳフィールド、Ｄｅｌｉｍｉｔｅｒフィールド、Ｐａｃｋｅｔ  Ｓｉｚｅフィールド、Ｓｅｑｕｅｎｃｅ  Ｎｕｍｂｅｒフィールド、Ｄａｔａフィールドの５つのフィールドで構成される。まず、ＰＳフィールドは、疑似ストリーミング開始コードを示すフィールドであり、２バイトで構成される。Ｄｅｌｉｍｉｔｅｒフィールドは、移動通信端末機とサーバー間で現在やり取りしているＲＰＳＰパケットの状態を示すフィールドであり、１バイトで構成される。Ｐａｃｋｅｔ  Ｓｉｚｅフィールドは、伝送されるＲＰＳＰパケットの全長を示すフィールドであり、２バイトで構成される。Ｓｅｑｕｅｎｃｅ  Ｎｕｍｂｅｒフィールドは、データパケットの一連番号を示すフィールドであり、４バイトで構成される。また、Ｄａｔａフィールドは、実際の動画像データであるＭＰ４（Ｍｏｖｉｎｇ  Ｐｉｃｔｕｒｅ  Ｅｘｐｅｒｔｓ  Ｇｒｏｕｐ  ４）ファイルデータが格納されるフィールドである。
【００３５】
特に、サーバーから移動通信端末機に動画像データが伝送される間、Ｐａｃｋｅｔ  Ｓｉｚｅフィールドの値は、最後のデータパケットを除いては一定の長さを示す値を有する。
【００３６】
下記表２は、ＲＰＳＰに存在するＤｅｌｉｍｉｔｅｒフィールドを示す。下記表２に示すように、Ｄｅｌｉｍｉｔｅｒフィールドの値は数字で表示され、各数字によって移動通信端末機とサーバー間で現在やり取りしているＲＰＳＰパケットの状態が区別される。ＲＰＳＰパケットは、Ｄｅｌｉｍｉｔｅｒフィールドで４つの状態を確認することができる。
【００３７】
【表２】
2006246468.tif 000004
まず、Ｄｅｌｉｍｉｔｅｒフィールドの値が１の場合、サーバーが移動通信端末機に最初のＲＰＳＰデータパケットを伝送する開始（Ｓｔａｒｔ）状態であることを示す。前記Ｄｅｌｉｍｉｔｅｒフィールドの値が２の場合、サーバーが移動通信端末機にＲＰＳＰデータパケットを伝送している中間（Ｍｅｄｉｕｍ）状態であることを示す。前記Ｄｅｌｉｍｉｔｅｒフィールドの値が３の場合、サーバーが移動通信端末機に最後のＲＰＳＰデータパケットを伝送する終了（Ｅｎｄ）状態であることを示す。また、前記Ｄｅｌｉｍｉｔｅｒフィールドの値が４の場合、移動通信端末機がサーバーにＲＰＳＰデータパケットの受信完了を通知する（Ｒｅａｄ＿Ｏｋ）状態であることを示す。
【００３８】
このように、ＲＰＳＰビットストリームのＤｅｌｉｍｉｔｅｒフィールド及びＳｅｑｕｅｎｃｅ  Ｎｕｍｂｅｒフィールドを利用して、移動通信端末機は、サーバーからの伝送進行状態（最初のデータパケットの伝送又は最後のデータパケットの伝送などの各状態）によって取る行動を決定することができる。
【００３９】
図１は、本発明によるＴＣＰベースのＲＰＳＰ方式を利用して、移動通信端末機とサーバー間の動画像データサービスが行われる過程を示し、図２は、図１における移動通信端末機とサーバー間の動画像データサービスが行われる過程のフローを示す。
【００４０】
以下、図１及び図２を参照して、本発明による疑似ストリーミングを利用した動画像伝送方法を説明する。
【００４１】
ユーザにより移動通信端末機でＶＯＤプレイヤーが駆動すると（Ｓ１０）、移動通信端末機とサーバー間にＴＣＰセッションが接続される（Ｓ２０）。次に、ユーザが動画像サービスを受けようとするコンテンツを選択してサーバーにディスクライブ要求をすると（Ｓ３０）、サーバーは、ディスクライブ要求されたコンテンツを検索してサービスを用意する（Ｓ４０）。ここで、移動通信端末機がサーバーに要求したディスクライブには、ＴＣＰベースのＲＴＳＰに２つのフィールドが追加される。即ち、移動通信端末機がサーバーに疑似ストリーミングによるコンテンツの伝送要求を示すフィールド（Ｘ−Ｐｓｅｕｄｏ−Ｓｔｒｅａｍｉｎｇ）と、移動通信端末機がサーバーから伝送されたパケットに対して収容可能な１つのパケットのサイズを示すフィールド（Ｘ−ＲＰＳＰ−Ｌｅｎｇｔｈ）とがＲＴＳＰに含まれる。
【００４２】
次に、サーバーが移動通信端末機のディスクライブ要求に対して応答すると（Ｓ５０）、移動通信端末機は、ＶＯＤプレイヤーの初期値をセットし、サーバーから提供されるＴＣＰベースのＲＰＳＰ方式による疑似ストリーミングサービスの開始を用意する（Ｓ６０）。その後、移動通信端末機がサーバーにディスクライブ要求したコンテンツの再生を要求すると（Ｓ７０）、サーバーは、再生要求されたコンテンツをＴＣＰベースのＲＰＳＰデータパケットで移動通信端末機に伝送する（Ｓ８０）。ここで、前記ＲＰＳＰデータパケットのビットストリーム構造は、図３に示す通りである。
【００４３】
前記のステップＳ８０で、ＲＰＳＰデータパケットの伝送中に移動通信端末機がサーバーに中止を要求すると（Ｓ９０）、サーバーに再伝送を要求するまで、ＲＰＳＰデータの伝送が中止される（Ｓ１１０、Ｓ１２０、Ｓ１３０）。そして、移動通信端末機がサーバーにテアダウン要求をし（Ｓ１４０）、サーバーが前記テアダウン要求に応答すると（Ｓ１５０）、移動通信端末機のＶＯＤプレイヤーが終了し（Ｓ１６０）、移動通信端末機とサーバー間のＴＣＰセッションが終了する（Ｓ１７０）。
【００４４】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【図面の簡単な説明】
【００４５】
【図１】本発明によるＴＣＰベースのＲＰＳＰ方式を利用して、移動通信端末機とサーバー間の動画像データサービスが行われる過程を示す図である。
【図２】図１における移動通信端末機とサーバー間の動画像データサービスが行われる過程のフローを示す図である。
【図３】本発明によるＴＣＰベースのＲＰＳＰを定義したビットストリームの構成図である。
【図４】従来の移動通信端末機のＶＯＤサービス方式を示す図である。
【図１】
2006246468.tif 000005
【図２】
2006246468.tif 000006
【図３】
2006246468.tif 000007
【図４】
2006246468.tif 000008